(57)【特許請求の範囲】
【請求項１】
複数の遊技台が並べて配置され、各遊技台には映像信号を入力し映像表示するとともに入力された映像信号をスルーアウトする画像表示装置が設けられ、映像信号出力手段から送られてくる映像信号が映像分配器で分配されこの映像分配器の分配端子群に接続された複数のケーブルからそれぞれ分配された映像信号が出力され、前記複数の遊技台にそれぞれ設けられた画像表示装置は所定の台数毎に対応するケーブルから与えられる映像信号がシリーズで供給され、分配された一つの映像信号をシリーズで最後に入力する画像表示装置と、分配された他の一つの映像信号をシリーズで最後に入力する画像表示装置とを、隣接する遊技台に対応させて配置することを特徴とする画像表示装置を備えた遊技装置。
【請求項２】
複数の遊技台が並べて配置され、各遊技台には映像信号を入力し映像表示するとともに入力された映像信号をスルーアウトする画像表示装置が設けられ、映像信号出力手段から送られてくる映像信号が映像分配器で分配されこの映像分配器の分配端子群に接続された複数のケーブルからそれぞれ分配された映像信号が出力され、前記複数の遊技台にそれぞれ設けられた画像表示装置は所定の台数毎に対応するケーブルから与えられる映像信号がシリーズで供給され、分配された一つの映像信号をシリーズで最初に入力する画像表示装置と、分配された他の一つの映像信号をシリーズで最初に入力する画像表示装置とを、隣接する遊技台に対応させて配置することを特徴とする画像表示装置を備えた遊技装置。。
【請求項３】
パチンコ島に複数のパチンコ台が並べて配置され、各パチンコ台には映像信号を入力し映像表示するとともに入力された映像信号をスルーアウトする画像表示装置が設けられ、映像信号出力手段から送られてくる映像信号が映像分配器で分配されこの映像分配器の分配端子群に接続された複数のケーブルからそれぞれ分配された映像信号が出力され、前記複数の遊技台にそれぞれ設けられた画像表示装置は所定の台数毎に対応するケーブルから与えられる映像信号がシリーズで供給され、分配された一つの映像信号をシリーズで最後に入力する画像表示装置と、分配された他の一つの映像信号をシリーズで最後に入力する画像表示装置とを、隣接する遊技台に対応させて配置することを特徴とする画像表示装置を備えたパチンコゲーム装置。
【請求項４】
パチンコ島に複数のパチンコ台が並べて配置され、各パチンコ台には映像信号を入力し映像表示するとともに入力された映像信号をスルーアウトする画像表示装置が設けられ、映像信号出力手段から送られてくる映像信号が映像分配器で分配されこの映像分配器の分配端子群に接続された複数のケーブルからそれぞれ分配された映像信号が出力され、前記複数の遊技台にそれぞれ設けられた画像表示装置は所定の台数毎に対応するケーブルから与えられる映像信号がシリーズで供給され、分配された一つの映像信号をシリーズで最初に入力する画像表示装置と、分配された他の一つの映像信号をシリーズで最初に入力する画像表示装置とを、隣接する遊技台に対応させて配置することを特徴とする画像表示装置を備えたパチンコゲーム装置。
【発明の詳細な説明】
【０００１】
【発明の属する技術分野】
本発明は、映像信号分配器にて分配された各映像信号を複数の遊技台の各々に取り付けた各画像表示装置にシリーズに供給する前記画像表示装置を備えた遊技装置およびパチンコゲーム装置に関する。
【０００２】
【従来の技術】
特開平２−１７７９８８号公報（ＩＰＣ：  Ａ６３Ｆ  ７／０２）には、画像表示装置を組み込んだパチンコ台が開示されている。この従来技術は、呼出ランプ等では僅かな情報しか伝達することができないという点に鑑み、多くの情報表示が可能な画像表示装置を例えば各パチンコ台の上部位置に配置した技術であり、この画像表示装置によって、遊技トラブルに関する情報、遊技機器の使用説明に関する情報、時刻に関する情報、及び大当たり等の遊技情報等の各種の情報を遊技者に知らせることができる他、切換スイッチの操作によって、ビデオ映像（放送映像や録画装置からの映像）も表示できるように構成されている。
【０００３】
ところで、上記のごとく、画像表示装置にビデオ映像も表示できるようにするため、従来は、図４に示すように、パチンコ場におけるコントロール室に例えば映像・音声出力装置１０１を設置し、この映像・音声出力装置１０１から出力される例えば、ＮＴＳＣ信号を光ファイバ１０２を通じて第１段目の信号分配器１０３に供給する。そして、この第１段目の信号分配器１０３にて分配した各ＮＴＳＣ信号を、上記と同様に光ファイバ１０４を通じてパチンコホール内に設置した第２段目の信号分配器１０５に供給する。更に、この第２段目の信号分配器１０５にて分配した各ＮＴＳＣ信号を、上記と同様に光ファイバ１０６を通じて各パチンコ島に設置した第３段目の信号分配器１０７に供給する。そして、第３段目の信号分配器１０７にて分配した各ＮＴＳＣ信号を、同軸ケーブル１０８…を通じて各パチンコ台１１０に設置した画像表示装置１０９および音声出力装置としての図示しないイヤホンに供給する。各パチンコ台１１０に設置されたた画像表示装置１０９は、前記ＮＴＳＣ信号を入力し映像を表示し、イヤホンは音声を出力する。
【０００４】
【発明が解決しようとする課題】
しかしながら、上記従来の構成では、第３段目の信号分配器１０７と各画像表示装置１０９…とを繋ぐ同軸ケーブル１０８…の本数や線長が膨大となり、配線コストが増大するとともに配線作業が非効率的となる。
【０００５】
そこで、図５に示すように、一つの同軸ケーブル１０８について、例えば５台のパチンコ台１１０…の各々に取り付けた合計５個の画像表示装置１０９…をシリーズに接続することを考えた。即ち、画像表示装置１０９…は、図示しない映像信号入力端子及び受け取った映像信号を出力する映像信号出力端子を備え、第１の画像表示装置１０９ａは、前記第３段目の信号分配器１０７からＮＴＳＣ映像信号を直接入力するとともに前記ＮＴＳＣ映像信号をスルーアウトし、第２の画像表示装置１０９ｂは第１の画像表示装置１０９ａからＮＴＳＣ映像信号を入力するとともに前記ＮＴＳＣ映像信号をスルーアウトし、という具合に各画像表示装置を接続し、最後の第５の画像表示装置１０９ｅは第４の画像表示装置１０９ｄからＮＴＳＣ映像信号を入力するように構成する。
【０００６】
しかしながら、上記のごとくシリーズで映像信号を各画像表示装置に供給する場合には、後に接続される側の画像表示装置ほどその表示画像が劣化しやすいという特性がある。従って、分配された一つの映像信号を最初に受けるために最も画質が良い第１の画像表示装置１０９ａと、分配された他の一つの映像信号を最後に受けるために最も画質が悪い第５の画像表示装置１０９ｅとが隣接する遊技台に配置されると、第５の画像表示装置１０９ｅにおける画質の悪さが強調されてしまうことになる。
【０００７】
この発明は、上記の事情に鑑み、映像信号を最後に受ける画像表示装置の画質の悪さを強調させない画像表示装置の配置を考慮した画像装置を備えた遊技装置およびパチンコゲーム装置を提供することを目的とする。
【０００８】
【課題を解決するための手段】
この発明の画像表示装置を備えた遊技装置は、上記の課題を解決するために、複数の遊技台が並べて配置され、各遊技台には映像信号を入力し映像表示するとともに入力された映像信号をスルーアウトする画像表示装置が設けられ、映像信号出力手段から送られてくる映像信号が映像分配器で分配されこの映像分配器の分配端子群に接続された複数のケーブルからそれぞれ分配された映像信号が出力され、前記複数の遊技台にそれぞれ設けられた画像表示装置は所定の台数毎に対応するケーブルから与えられる映像信号がシリーズで供給され、分配された一つの映像信号をシリーズで最後に入力する画像表示装置と、分配された他の一つの映像信号をシリーズで最後に入力する画像表示装置とを、隣接する遊技台に対応させて配置することを特徴とする。
【０００９】
上記の構成であれば、分配された映像信号をシリーズで最後に入力するために最も画質が悪いものとなる画像表示装置同士が隣接して配置されるので、隣り合う画像表示装置の画質に差異が無くなり、画質劣化は目立たないものとなる。
【００１０】
また、この発明の画像表示装置を備えた遊技装置は、上記の課題を解決するために、複数の遊技台が並べて配置され、各遊技台には映像信号を入力し映像表示するとともに入力された映像信号をスルーアウトする画像表示装置が設けられ、映像信号出力手段から送られてくる映像信号が映像分配器で分配されこの映像分配器の分配端子群に接続された複数のケーブルからそれぞれ分配された映像信号が出力され、前記複数の遊技台にそれぞれ設けられた画像表示装置は所定の台数毎に対応するケーブルから与えられる映像信号がシリーズで供給され、分配された一つの映像信号をシリーズで最初に入力する画像表示装置と、分配された他の一つの映像信号をシリーズで最初に入力する画像表示装置とを、隣接する遊技台に対応させて配置することを特徴とする。
【００１１】
上記の構成であれば、分配された映像信号をシリーズで最初に入力するために最も画質が良いものとなる画像表示装置同士が隣接して配置されるので、隣り合う画像表示装置の画質に差異が無くなり、画質劣化は目立たないものとなる。
【００１２】
また、この発明の画像表示装置を備えたパチンコゲーム装置パチンコ島に複数のパチンコ台が並べて配置され、各パチンコ台には映像信号を入力し映像表示するとともに入力された映像信号をスルーアウトする画像表示装置が設けられ、映像信号出力手段から送られてくる映像信号が映像分配器で分配されこの映像分配器の分配端子群に接続された複数のケーブルからそれぞれ分配された映像信号が出力され、前記複数の遊技台にそれぞれ設けられた画像表示装置は所定の台数毎に対応するケーブルから与えられる映像信号がシリーズで供給され、分配された一つの映像信号をシリーズで最後に入力する画像表示装置と、分配された他の一つの映像信号をシリーズで最後に入力する画像表示装置とを、隣接する遊技台に対応させて配置することを特徴とする。
【００１３】
また、この発明の画像表示装置を備えたパチンコゲーム装置は、パチンコ島に複数のパチンコ台が並べて配置され、各パチンコ台には映像信号を入力し映像表示するとともに入力された映像信号をスルーアウトする画像表示装置が設けられ、映像信号出力手段から送られてくる映像信号が映像分配器で分配されこの映像分配器の分配端子群に接続された複数のケーブルからそれぞれ分配された映像信号が出力され、前記複数の遊技台にそれぞれ設けられた画像表示装置は所定の台数毎に対応するケーブルから与えられる映像信号がシリーズで供給され、分配された一つの映像信号をシリーズで最初に入力する画像表示装置と、分配された他の一つの映像信号をシリーズで最初に入力する画像表示装置とを、隣接する遊技台に対応させて配置することを特徴とする。
【００１４】
【発明の実施の形態】
以下、この発明の実施の形態を図１乃至図３に基づいて説明する。
【００１５】
図１は、この発明のパチンコ台に設けた画像表示装置への映像信号供給システムを示した概略の構成図である。パチンコ場におけるコントロール室に設けられている映像・音声出力装置１は、図示しないビデオテープレコーダ等の映像再生装置や放送映像受信装置を備えており、これら装置からのコンポジット映像信号（この実施の形態ではＮＴＳＣ映像信号としている）および音声信号の出力制御を行うようになっている。なお、以下の説明においては、便宜上、映像信号の供給の形態についてのみ説明するが、音声信号についても同様の形態で供給されるようになっている。
【００１６】
第１信号分配器２は、前記映像・音声出力装置１に光ファイバ３にて接続されており、この光ファイバ３を介して前記映像・音声出力装置１からＮＴＳＣ映像信号を入力するとともに、分配端子群２ａの各々の端子からＮＴＳＣ映像信号を分配出力するようになっている。
【００１７】
第２信号分配器４は、パチンコホール内に設置されている。この第２信号分配器４は、前記第１信号分配器２における分配端子群２ａの一つの端子に光ファイバ５により接続されており、この光ファイバ５を介して前記第１信号分配器２からＮＴＳＣ映像信号を入力するとともに、分配端子群４ａの各々の端子からＮＴＳＣ映像信号を分配出力するようになっている。
【００１８】
第３信号分配器６は、各パチンコ島（図３に基づく後述の説明参照）に設置されている。第３信号分配器６は、前記第２信号分配器４における分配端子群４ａの一つの端子に光ファイバ７により接続されており、この光ファイバ７を介して前記第２信号分配器４からＮＴＳＣ映像信号を入力するとともに、分配端子群６ａの各々から同軸ケーブル８…を介してＮＴＳＣ映像信号を分配出力する。
【００１９】
各同軸ケーブル８には、５台の隣り合って並べられているパチンコ台１１…の各々に設けられた合計５個の画像表示装置１２…がシリーズに接続されている。具体的には、これら５個の画像表示装置１２…は、図示しない映像信号入力端子及び受け取った映像信号を出力する映像信号出力端子を備えており、第１の画像表示装置１２ａは、前記第３信号分配器６からコンポジット映像信号を直接入力するとともに前記コンポジット映像信号をスルーアウトし、第２の画像表示装置１２ｂは第１の画像表示装置１２ａからコンポジット映像信号を入力するとともに前記コンポジット映像信号をスルーアウトし、という具合に各画像表示装置が接続され、そして、最後の第５の画像表示装置１２ｅは第４の画像表示装置１２ｄ（図示せず）からＮＴＳＣ映像信号を入力するように構成されている。
【００２０】
そして、図１の左側から隣り合って並べられている５台のパチンコ台１１…の上部位置には、一つの同軸ケーブル８（８ａ）にシリーズ接続される５台の画像表示装置１２…が、左側から第１〜第５の画像表示装置１２ａ〜１２ｅ（１２ａ，１２ｂ，１２ｅのみ図示している）の順に設けられているが、別の一つの同軸ケーブル８（８ｂ）にシリーズ接続される５台の画像表示装置は、前記５台のパチンコ台１１…の右側方において隣り合って並べられている５台のパチンコ台１１…の上部位置において、左側から第５〜第１の画像表示装置１２ｅ〜１２ａ（１２ｅ，１２ｂ，１２ａのみ図示している）の順に設けられている。更に、別の一つの同軸ケーブル８（８ｃ）にシリーズ接続される５台の画像表示装置は、前記５台のパチンコ台１１…の右側方において隣り合って並べられている５台のパチンコ台１１…の上部位置において、左側から第１〜第５の画像表示装置１２ａ〜１２ｅ（１２ａのみ図示している）の順に設けられている。
【００２１】
従って、分配された一つの映像信号をシリーズで最後に入力する第５の画像表示装置１２ｅと、分配された他の一つの映像信号をシリーズで最後に入力する第５の画像表示装置１２ｅとは、隣接するパチンコ台１１，１１（１１ａ，１１ａ）に配置されることになり、また、分配された一つの映像信号をシリーズで最初に入力する第１の画像表示装置１２ａと、分配された他の一つの映像信号をシリーズで最初に入力する第１の画像表示装置１２ａとは、隣接するパチンコ台１１，１１（１１ｂ，１１ｂ）に配置されることになる。
【００２２】
各画像表示装置１２は、図２に示しているように、映像入力端子１２０ｅから入力したコンポジット映像信号であるＮＴＳＣ信号をＹ／Ｃ分離回路１２０ａにてＹ信号とＣ信号に分離し、画質補正回路１２０ｂを経たＹ信号とＣ信号をＲＧＢマトリックス回路１２０ｃに入力し、このＲＧＢマトリックス回路１２０ｃからＲ，Ｇ，Ｂ信号を出力するようになっている。また、同期分離回路１２０ｄは、映像信号からＨ信号、及びＶ信号を分離して出力するようになっている。液晶駆動回路１２０ｆは、Ｒ，Ｇ，Ｂ信号およびＨ信号、及びＶ信号を入力し、これらの信号に基づいて液晶パネル１２０ｇを駆動するようになっている。
【００２３】
図３は、この発明のパチンコ台に設けた画像表示装置への映像信号供給システムの概略の外観構成を示した斜視図である。複数のパチンコ台１１…を横方向に並べ、且つこれらパチンコ台１１…の背面側にも同様にパチンコ台１１…を並べて成る一群をパチンコ島と呼んでいる。パチンコ島の各パチンコ台１１に配置されている画像表示装置１２は、前述の同軸ケーブル８を介して前記ＮＴＳＣ映像信号を入力して画面上に映像を表示することになる。なお、図３では、説明の便宜上、前記同軸ケーブル８がパチンコ島の上方を通過するように描いているが、実際には同軸ケーブル８はパチンコ島内を通過させるようにしている。
【００２４】
上記の構成であれば、各パチンコ島に設けられた第３信号分配器６からこれに近い位置に設けられているパチンコ台１１の第１の画像表示装置１２に対して同軸ケーブル８の配線を行い、この第１の画像表示装置１２から隣のパチンコ台１１の第２の画像表示装置１２に同軸ケーブル８の配線を行い、この第２の画像表示装置１２から更に隣のパチンコ台１１の第３の画像表示装置１２に同軸ケーブル８の配線を行う、という具合に、配線を行うことができるから、信号分配器から複数の画像表示装置に個別に配線する場合の配線コストの増大や配線作業の非効率化を防止することができる。
【００２５】
そして、図２に示しているように、分配された一つの映像信号をシリーズで最後に入力することにより画質が最も悪いものとなる第５の画像表示装置１２ｅ同士が隣接するパチンコ台１１，１１（１１ａ，１１ａ）に配置され、また、分配された一つの映像信号をシリーズで最初に入力することにより画質が最も良いものとなる第１の画像表示装置１２ａ同士が隣接するパチンコ台１１，１１（１１ｂ，１１ｂ）に配置されるから、隣り合う画像表示装置の画質に差異が無くなり、画質劣化は目立たなくなる。
【００２６】
なお、この実施の形態では、コンポジット映像信号としてＮＴＳＣ信号を用いたが、これに限られるものではない。また、例えば、第３信号分配器６までは映像信号としてコンポジット映像信号を用い、この第３信号分配器６でコンポジット映像信号をＲＧＢ信号（Ｒ，Ｇ，Ｂ信号およびＨ信号、及びＶ信号から成る）に変換し、このＲＧＢ信号を５本の配線を用いてシリーズに画像表示装置１２ａ〜１２ｅに供給するようにしてもよい。この場合には、第３信号分配器６が図２に示した映像信号変換回路構成を備える一方、各画像表示装置はＲＧＢ信号から直接的に表示画面を駆動するように構成されていればよい。また、この実施の形態では、画像表示装置を液晶パネルを用いて構成したが、これに限らず、ブラウン管などを用いて構成してもよいものである。
【００２７】
また、この実施の形態では、シリーズに接続される画像表示装置の台数を５台としているが、これはシリーズで映像信号を供給する場合に後に接続される側の画像表示装置ほどその表示画像が劣化しやすいという点に鑑みたものでり、表示画像の劣化の度合いとの関係で接続台数が決定される。また、この発明の映像信号供給システムは、パチンコ台以外の遊技機器に設けた画像表示装置への映像信号供給にも用いることができるものである。
【００２８】
【発明の効果】
以上説明したように、この発明によれば、シリーズ配線によって配線コストの低減および配線作業の効率化を図ることができるとともに、このシリーズ配線により生じがちな現象、即ち、後に接続される側の画像表示装置ほどその表示画像が劣化しやすいという現象を、画像表示装置の配置を工夫することにより、目立たなくすることができるという効果を奏する。特に、パチンコ場においては、一つのパチンコ台に座ると両隣の画像表示装置を見ることができるので、表示画像の劣化を目立たなくするこの配置方法の効果が一層際立って得られることになる。
【図面の簡単な説明】
【図１】  この発明の実施の形態の画像表示装置の配置例を示す説明図である。
【図２】  この発明の実施の形態の画像表示装置の映像信号変換回路部分を示したブロック図である。
【図３】  この発明の実施の形態の画像表示装置の配置例が実施されたパチンコ島の概略の外観構成を示した斜視図である。
【図４】  従来のパチンコ台に設けた画像表示装置への映像信号供給システムを示す概略構成図である。
【図５】  シリーズ配線によるパチンコ台に設けた画像表示装置への映像信号供給システムを示す概略構成図である。
【符号の説明】
１    映像・音声出力装置
２    第１信号分配器
３    光ファイバ
４    第２信号分配器
５    光ファイバ
６    第３信号分配器
７    光ファイバ
８    同軸ケーブル
１１  パチンコ台
１２  画像表示装置
【図１】
0003649822.tif 000002
【図２】
0003649822.tif 000003
【図３】
0003649822.tif 000004
【図４】
0003649822.tif 000005
【図５】
0003649822.tif 000006